(57)【要約】【課題】従来のシャンプー、リンス、ボディーソープなどの詰替容器は上部にしか取出口がなく、下部に溜まった内容物を使い切ることに手間取ることが多く、残り少なくなったシャンプーなどを取り出すのに時間がかかるという問題があった。【解決手段】このような問題を解決するために、下部に着脱可能な開閉蓋を取り付けることにより、中身が少なくなり取り出すことが難しくなった時に、下部にある着脱可能な開閉蓋を利用し内容物を容易に取り出すことにより問題が解決される。また、下部の開閉口より本体を洗浄し衛生的に何度も使用することができるという利点もある。【特許請求の範囲】
【請求項１】
多目的両面蓋付き容器は、容器の底部にたまり易いシャンプーやリンス、ボディーソープなどの粘着性のある液体を、下部に取り付けた着脱可能な開閉蓋を利用し中身を取りやすくした詰替保存容器、入れ物である。
【請求項２】
化粧品クリームなど液体状で粘着性のある化粧品やの詰替保存容器入れ物としても利用でき、下部にある着脱可能な蓋からも中身を取りやすくした容器、入れ物である。
【請求項３】
プラスチック製の詰替保存容器の本体の下部に、着脱可能な開閉蓋を取り付けることにより、携帯用として持ち運びできるようになる。
【請求項４】
ガラス製又は耐熱製ガラス製の詰替保存容器の本体の下部に、着脱可能な開閉蓋を取り付けることにより、使用することが可能になる。
【請求項５】
アクリル製の詰替保存容器の本体の下部に着脱可能な開閉蓋を取り付けることにより、使用することが可能になる。
【発明の詳細な説明】
【技術分野】
【０００１】  本発明は、シャンプーやリンス、ボディソープなど粘着性のある液体の詰替保存容器で、詰替本体の下部に溜まり易く取り出しにくい中身を、下部に取り付けた着脱可能な開閉蓋を利用し取りやすくしたものに関する。
【背景技術】
【０００２】  従来の詰替容器は、上部にのみポンプ式やカートリッジ式、開閉できる蓋などがあった。例えば特許文献１参照。【０００３】  以下、従来の詰め替え容器は内容物を交換可能なカートリッジタイプの詰替容器に収納し、詰替容器を交換することによって、内容物の交換を容易にした。ゴミの減少にもなり、経済的にも優れ資源の有効活用にも役立つものである。
【先行技術文献】
【特許文献】
【０００４】
【特許文献１】  実開平０７−０４５０８８
【非特許文献】
【０００５】
【非特許文献１】  ＭＵＪＩ  無印良品通販  ＰＥＴ詰替ボトル  グリーン  ６００ｍｌ
【発明の概要】
【発明が解決しようとする課題】
【０００６】  以上述べた従来の詰替容器は、上部部分に開閉口があり、ポンプ式等で内容物を取り出すことができたが、本体底辺部に溜まったシャンプーやリンス、ボディソープなどを使い切るのには不便であった。【０００７】  本発明は、このような従来の構成が有していた課題を解決しようとするものであり、本体底辺部に溜まったシャンプーなどを、下部に取り付けた着脱可能な開閉蓋より取り出すことができ、本体にある中身を無駄なく使いきることができるものである。
【問題を解決するための手段】
【０００８】  本発明を上記目的を達成するために、下部に着脱可能な開閉蓋を取り付けることにより、シャンプーなどの内容品が残り少なくなり上部にあるポンプ式等の取出口より取り出すことが難しくなってきた時に、下部に取り付けた着脱可能な蓋より利用し、スムーズに下部から取り出すことがきるようになる。
【発明の効果】
以上のように本発明は、詰替用シャンプーなどをスムーズに無駄なく容易に取り出すことが可脳になる。
【図面の簡単な説明】
【図１】本発明である多目的両面蓋付き容器を横から見た図
【図２】本発明である多目的両面蓋付き容器を真正面から見た図
【図３】本発明である多目的両面蓋付き容器の下部に取り付けた、着脱可能な開閉蓋の拡大図。開閉できるように本体に取り付けられている。
【発明を実施するための形態】
【０００９】  以下、本発明の形態を図１〜図４に基づいて説明する。
【００１０】  図１符号▲１▼ポンプ式取出口より、本体へ入れたい詰替用シャンプーなどを入れる。
【００１０】  本体の中身が少なくなり底辺部に溜まり、上部のポンプ式などの取出し口より取出しにくくなった時に、図２符号▲２▼下部に取り付けた装着可能な開閉蓋を利用し中身を取り出すことができる。
【００１１】  図３本体容器の下部に取り付けた着脱可能な開閉蓋の拡大図。本体に取り付けられ開閉できるようになっている。
【００１２】  図４本体と下部の着脱可能な開閉蓋の接合部分の拡大図。本体と下部の着脱可能な開閉蓋を回転させながら取り付けることができる。以上のように、本実施形態によれば詰替用シャンプーなどをスムーズに取出すことができ、無駄なく使用することができる。
【符号の説明】
【００１２】  ▲１▼従来のポンプ式取り出口
▲２▼本発明である着脱可能な開閉蓋
▲３▼（斜線）中身のシャンプーなど
【図１】
2018065617.tif 000002
【図２】
2018065617.tif 000003
【図３】
2018065617.tif 000004
【図４】
2018065617.tif 000005
【手続補正書】
【提出日】平成28年12月20日(2016.12.20)
【手続補正１】
【補正対象書類名】明細書
【補正対象項目名】全文
【補正方法】変更
【補正の内容】
【発明の詳細な説明】
【技術分野】
【０００１】  本発明は、シャンプーやリンス、ボディソープなど粘着性のある液体の詰替保存容器で、詰替本体の下部に溜まり易く取り出しにくい中身を、下部に取り付けた着脱可能な開閉蓋を利用し取りやすくしたものに関する。
【背景技術】
【０００２】  従来の詰替容器は、上部にのみポンプ式やカートリッジ式、開閉できる蓋などがあった。例えば特許文献１参照。【０００３】  以下、従来の詰め替え容器は内容物を交換可能なカートリッジタイプの詰替容器に収納し、詰替容器を交換することによって、内容物の交換を容易にした。ゴミの減少にもなり、経済的にも優れ資源の有効活用にも役立つものである。
【先行技術文献】
【特許文献】
【０００４】
【特許文献１】実開平０７−０４５０８８
【非特許文献】
【０００５】
【非特許文献１】ＭＵＪＩ  無印良品通販  ＰＥＴ詰替ボトル  グリーン  ６００ｍｌ
【発明の概要】
【発明が解決しようとする課題】
【０００６】  以上述べた従来の詰替容器は、上部部分に開閉口があり、ポンプ式等で内容物を取り出すことができたが、本体底辺部に溜まったシャンプーやリンス、ボディソープなどを使い切るのには不便であった。【０００７】  本発明は、このような従来の構成が有していた課題を解決しようとするものであり、本体底辺部に溜まったシャンプーなどを、下部に取り付けた着脱可能な開閉蓋より取り出すことができ、本体にある中身を無駄なく使いきることができるものである。
【問題を解決するための手段】
【０００８】  本発明を上記目的を達成するために、下部に着脱可能な開閉蓋を取り付けることにより、シャンプーなどの内容品が残り少なくなり上部にあるポンプ式等の取出口より取り出すことが難しくなってきた時に、下部に取り付けた着脱可能な蓋より利用し、スムーズに下部から取り出すことがきるようになる。
【発明の効果】
以上のように本発明は、詰替用シャンプーなどをスムーズに無駄なく容易に取り出すことが可脳になる。
【図面の簡単な説明】
【図１】本発明である多目的両面蓋付き容器を側面から見た図
【図２】本発明である多目的両面蓋付き容器を真正面から見た図
【図３】本発明である多目的両面蓋付き容器の下部に取り付けた、着脱可能な開閉蓋の拡大図。開閉できるように本体に取り付けられている。
【図４】本発明である多目的両面蓋付き容器の下部に取り付けた、着脱可能な開閉蓋の取り付部分の拡大図。
【発明を実施するための形態】
【０００９】  以下、本発明の形態を図１〜図４に基づいて説明する。
【００１０】  図１符号▲１▼ポンプ式取出口より、本体へ入れたい詰替用シャンプーなどを入れる。
【００１０】  本体の中身が少なくなり底辺部に溜まり、上部のポンプ式などの取出し口より取出しにくくなった時に、図２符号▲２▼下部に取り付けた装着可能な開閉蓋を利用し中身を取り出すことができる。
【００１１】  図３本体容器の下部に取り付けた着脱可能な開閉蓋の拡大図。本体に取り付けられ開閉できるようになっている。
【００１２】  図４本体と下部の着脱可能な開閉蓋の接合部分の拡大図。本体と下部の着脱可能な開閉蓋を回転させながら取り付けることができる。以上のように、本実施形態によれば詰替用シャンプーなどをスムーズに取出すことができ、無駄なく使用することができる。
【符号の説明】
【００１２】▲１▼従来のポンプ式取り出口
▲２▼本発明である着脱可能な開閉蓋
▲３▼（斜線）中身のシャンプーなど
【手続補正２】
【補正対象書類名】図面
【補正対象項目名】全図
【補正方法】変更
【補正の内容】
【図１】
2018065617.tif 000006
【図２】
2018065617.tif 000007
【図３】
2018065617.tif 000008
【図４】
2018065617.tif 000009